(57)【要約】      （修正有）【課題】二段ベッドを部屋の間仕切りとして使用しつつ換気を図ることができ、更に、長期期間に渡り使用することが可能な間仕切型二段ベッドを提供する。【解決手段】間仕切型二段ベッドは、上下段の二段ベッドにおいて、上段ベッド部１０の上段側壁１２と下段ベッド部２０の下段側壁２６とで相互に反対側に配設すると共に、上下段側壁をそれぞれ開閉自在に構成したことを特徴とする。【選択図】図１
0003183519.tif 000002
【実用新案登録請求の範囲】
【請求項１】
上下段の二段ベッドにおいて、上段ベッド部の上段側壁と下段ベッド部の下段側壁とで相互に反対側に配設すると共に、上下段側壁をそれぞれ開閉自在に構成したことを特徴とする間仕切型二段ベッド。
【請求項２】
前記上下段側壁を上下方にスライド自在としたことを特徴とする請求項１に記載の間仕切型二段ベッド。
【請求項３】
前記上下段側壁を横側方にスライド自在としたことを特徴とする請求項１に記載の間仕切型二段ベッド。
【請求項４】
前記上下段側壁を対向方向に開閉自在としたことを特徴とする請求項１に記載の間仕切型二段ベッド。
【請求項５】
前記上段側壁を上下方、横側方または対向方向に開閉自在とし、前記下段側壁を上下方、横側方または対向方向に開閉自在としたことを特徴とする請求項１に記載の間仕切型二段ベッド。
【考案の詳細な説明】
【技術分野】
【０００１】
本考案は、間仕切型二段ベッドに関する。
【背景技術】
【０００２】
従来、一般的な二段ベッドは、上段と下段の何れにも側壁を有さず、就寝時にベッドに入るための方向が限定されない構造である。また、二段ベッドは、多くの場合、子供が成人するまでの間に使用され、部屋のスペースを有効活用するために壁側に設置したり、一定の間仕切として部屋の中程に設置して、二段ベッドの両側のスペースを各人の簡易的な部屋として使用できるように配置される。
【０００３】
しかしながら、二段ベッドの長辺側を部屋の壁側に近接して設置した場合には、一つの部屋としてのスペースはある程度有効に確保できるが、就寝時以外の生活時間も同じ部屋の中で過ごさなければならず、二人の行動や生活スタイルの相違が互いに影響してしまう。また、部屋の中央部近傍において、二段ベッドの短辺側を部屋の壁側に近接して設置した場合には、形式上は間仕切として機能するが、略分割して形成された互いの部屋を相互に視認等できるため、二人の行動や生活スタイルの相違が互いに影響する点で同様である。子供が幼い頃においては問題とならないが、成長するに従い、または、二人が男女の別であれば特に気になる問題となる。
【０００４】
これは、就寝時以外の生活時間を過ごすための別途の部屋が用意されていない限り回避することは困難である。しかしながら、子供を持つ親は比較的若く、充分な生活費を得ているとは限らず、多くの場合は一軒家ではなくマンションやアパートに居住することになることからも居住スペースに余裕がないのが一般的であり、別途の部屋を用意することは困難である。
【０００５】
上述したような問題を解決するために、例えば、特許文献１，２のような技術が開示されている。本技術によれば、上下段の二段ベッドにおいて、上段ベッドの上段側壁と下段ベッドの下段側壁とを相互に反対側に配設することで、本技術による二段ベッドを部屋の中程に設置すれば、二段ベッドの上下段の各側壁が部屋の間仕切の役割を果たすものである。これにより、二段ベッドの両側のスペースを各人の部屋として使用できるため、二人の行動や生活スタイルの相違が互いに影響を与えてしまうことを防止できるため有効な技術であった。
【先行技術文献】
【特許文献】
【０００６】
【特許文献１】実開昭５７−００７３５９号公報
【特許文献２】実開平０３−０１６４５９号公報
【考案の概要】
【考案が解決しようとする課題】
【０００７】
しかしながら、特許文献１、２のような二段ベッドにおいては、上下段の各側壁が固定されており、部屋の換気が充分になされないという問題を有している。これは、当初は一室であった部屋を二段ベッドによって簡易的に二室に振り分けているためであり、窓やドアは、一室であることを前提として配置されているので、二室としての換気を考慮していないからである。
【０００８】
また、子供が幼いうちは、兄弟等と充分なコミュニケーションを図ることが必要であると共に、当人同士においても一緒に遊んだりすることを望む場合が多い。そのため、幼いうちから特許文献１、２のような二段ベッドを部屋の間仕切りを兼ねて設置することは、子供の健全な成長においては逆効果となってしまうという問題を有している。
【０００９】
更に、子供が幼い時期と、ある程度成長した時期とに分けて一般的な二段ベッドから特許文献１、２のような二段ベッドに買い替えることは、費用の面で大きな負担になってしまうと共に、実質的に使用される期間が短くなってしまうという問題を有している。
【００１０】
本考案は、以上のような事情に鑑みてなされたものであり、二段ベッドを部屋の間仕切りとして使用しつつ換気を図ることができ、更に、長期間に渡り使用することが可能な間仕切型二段ベッドを提供することにある。
【課題を解決するための手段】
【００１１】
以上のような目的を達成するために、本考案は以下のようなものを提供する。
【００１２】
請求項１に係る考案では、上下段の二段ベッドにおいて、上段ベッド部の上段側壁と下段ベッド部の下段側壁とで相互に反対側に配設すると共に、上下段側壁をそれぞれ開閉自在に構成したことを特徴とする間仕切型二段ベッド。
【００１３】
請求項２に係る考案では、前記上下段側壁を上下方にスライド自在としたことを特徴とする請求項１に記載の間仕切型二段ベッド。
【００１４】
請求項３に係る考案では、前記上下段側壁を横側方にスライド自在としたことを特徴とする請求項１に記載の間仕切型二段ベッド。
【００１５】
請求項４に係る考案では、前記上下段側壁を対向方向に開閉自在としたことを特徴とする請求項１に記載の間仕切型二段ベッド。
【００１６】
請求項５に係る考案では、前記上段側壁を上下方、横側方または対向方向に開閉自在とし、前記下段側壁を上下方、横側方または対向方向に開閉自在としたことを特徴とする請求項１に記載の間仕切型二段ベッド。
【考案の効果】
【００１７】
本考案による間仕切型二段ベッドによれば、二段ベッドを部屋の間仕切りとして使用しつつ換気を図ることができ、更に、長期期間に渡り使用することができる。
【図面の簡単な説明】
【００１８】
【図１】本考案の第一の実施形態に係る間仕切型二段ベッドを示す上方斜視図である。
【図２】本考案の実施形態に係る間仕切型二段ベッドを部屋に配置した一例を示す平面図である。
【図３】本考案の実施形態に係る間仕切型二段ベッドを部屋に配置した一例を示す図２におけるＡ−Ａ線断面図である。
【図４】本考案の第一の実施形態に係る間仕切型二段ベッドの構造の一部を示す斜視図である。
【図５】（ａ）上げ下げ扉の構造の一例を示す部分斜視図である。（ｂ）上げ下げ扉の構造の一例を示す部分斜視図である。（ｃ）上げ下げ扉で使用される板ばね構造の一例を示す斜視図である。
【図６】本考案の第一の実施形態に係る間仕切型二段ベッドの上げ下げ扉をスライドさせた状態を示す上方斜視図である。
【図７】本考案の第二の実施形態に係る間仕切型二段ベッドを示す上方斜視図である。
【図８】本考案の第三の実施形態に係る間仕切型二段ベッドを示す上方斜視図である。
【考案を実施するための形態】
【００１９】
本考案の要旨は、上下段の二段ベッドにおいて、上段ベッド部１０の上段側壁１２と下段ベッド部２０の下段側壁２６とで相互に反対側に配設すると共に、上下段側壁１２，２６をそれぞれ開閉自在に構成するものである。すなわち、二段ベッドを部屋の間仕切りとして使用しつつ換気を図ることができものである。
【００２０】
本実施形態に係る間仕切型二段ベッドは、二段ベッドとして使用した際に十分な強度が得られる材質で構成されていればよい。このような材質としては例えば、木材や金属、樹脂等を挙げることができる。特に本実施形態では、加工が容易で、且つ温かみのある木材によって形成しているが、木材に限定されるものではない。
【００２１】
また、以下の説明では各部構造の理解を容易とするために、主に平板や角材を用いることによって間仕切型二段ベッドを構成しているが、例えば角材を丸棒にする等の変更は本考案の範囲内であることは言うまでもない。
【００２２】
以下、本考案の実施形態について図面を参照しながら説明するが、左右同一又は左右対称等の構造や部品については、原則として同一の符号を付し、左右何れか一方のみを説明して、他方については説明を適宜省略する。
【００２３】
以下、本実施形態に係る間仕切型二段ベッドについて図面を参照しながら詳説する。
【００２４】
[第一の実施形態]
【００２５】
本実施形態に係る間仕切型二段ベッド１は、図１に示すように、上段ベッド部１０の上段側壁１２と下段ベッド部２０の下段側壁２６とで相互に反対側に配設すると共に、上下段側壁１２，２６をそれぞれ上下方にスライド自在に構成するものである。このような間仕切型二段ベッド１は、例えば、図２、図３に示すように、机１０８や椅子１０７や棚１０９の配置を顧慮しつつ、部屋１００の中央部近傍において間仕切型二段ベッド１の短辺側の側面を一方の壁１０１に近接させて設置される。これにより、間仕切型二段ベッド１が一つの部屋１００を第一の部屋１０２と第二の部屋１０３に略分割する間仕切りとしての役割を果たすことになる。
【００２６】
第一の部屋１０２の住人は下段ベッド２１を使用し、第二の部屋１０３の住人は上段ベッド１１を使用することができる。なお、本実施形態に係る間仕切型二段ベッド１においては、下段ベッド部２０の一方の短辺側の側面に梯子５を形成しているため、第二の部屋１０３の住人は、該梯子５を使用して上段ベッド１１に上がることができる。
【００２７】
また、図２、図３に示すように、部屋１００を略分割することで何れかの部屋１０２，１０３には窓が存在しなくなる場合もある。このような場合に従来の技術では、第一の部屋１０２の二つの窓１０４，１０５を開けることで第一の部屋１０２を換気できるが、第二の部屋１０３を換気することはできない。これは、第二の部屋１０３側のドア１０６を同時に解放しても同様である。
【００２８】
しかしながら、本実施形態に係る間仕切型二段ベッド１は、図６に示すように、上下段側壁１２，２６を開閉自在に構成しているので、上下段側壁１２，２６を所定量だけ開蓋すれば、第一の部屋１０２に入った外気が、間仕切型二段ベッド１の開蓋により生じた開口を通過して第二の部屋１０３へと行き渡ることになり、充分な換気を可能とするものである。
【００２９】
なお、長柱３の長さは、間仕切型二段ベッド１を設置する部屋の高さに応じて、長柱３の上端部に配設される後述する止め板１３の上面が、天井に当接又は近接するような長さであることが望ましい。また、短柱４の長さは、必ずしも長柱３よりも短くなくてもよい。
【００３０】
次に、第一の実施形態に係る間仕切型二段ベッド１の具体的な構造を説明する。
【００３１】
本実施形態に係る間仕切型二段ベッド１は、上段ベッド部１０と下段ベッド部２０と柱部２とで構成している。間仕切型二段ベッド１全体の外観は、一般的な二段ベッドと同様に、平面視略長方形状である。
【００３２】
柱部２は、図１、図４に示すように、二本の長柱３と二本の短柱４、及び三本の梯子桟６と四本の横桟８とで構成しており、間仕切型二段ベッド１の略外形を形成するものである。長柱３と短柱４は、間仕切型二段ベッド１の四隅に略垂直に配置され、二本の長柱３によって、間仕切型二段ベッド１の一方の長辺側の側面を形成し、二本の短柱４によって、他方の長辺側の側面を形成する。この両側面を間仕切型二段ベッド１の幅の分だけ離して対向配置させることで、長柱３と隣接する短柱４との間で間仕切型二段ベッド１の短辺側の側面を形成することになる。
【００３３】
また、間仕切型二段ベッド１の一方の短辺側の側面を形成する長柱３と短柱４との間には、上段ベッド１１と下段ベッド２１の間に渡り略水平に三本の梯子桟６が、長柱３と短柱４に対して略等間隔に連結され、梯子５を構成している。
【００３４】
また、間仕切型二段ベッド１の他方の短辺側の側面を形成する長柱３と短柱４との間には、下段ベッド２１から短柱４の上端部近傍に渡り略水平に四本の横桟８が、長柱３と短柱４に対して略等間隔に連結され、強度向上と落下防止のための柵７を構成している。
【００３５】
下段ベッド部２０は、寝床の底部となる下段ベッド２１と間仕切壁の役割を果たす下段側壁２６とで構成している。下段ベッド２１は、四本の柱３，３，４，４の隣接する各柱間における下側近傍の同一水平面上に、二本の長枠材２２と二本の短枠材２３を配設して平面視略長方形状としている。具体的には、長柱３間と短柱４間に各々長枠材２２を連結すると共に、隣接する長柱３と短柱４の間に各々短枠材２３を連結している。
【００３６】
また、対向する長枠材２２間に三本の根太２４を略等間隔に連結して、下段ベッド２１の強度を確保している。長枠材２２と短枠材２３と根太２４の上面には、長柱３と短柱４に干渉しないように角部の二箇所を切欠いた略長方形状の二枚の床板２５を載置して下段ベッド２１を構成している。
【００３７】
下段側壁２６は、図１、図６に示すように、側面視略長方形状の長手方向を水平方向とする四枚の上げ下げ扉２７と案内柱３７とで構成している。具体的に説明すると、上げ下げ扉２７は、短柱４間の略中央で下段ベッド２１の長枠材２２と後述する上段ベッド１１の長枠材２２に対して垂直に連結された案内柱３７の左右において各二枚をずらして配設されている。また、上げ下げ扉２７の上側縁近傍の略中央の表裏両面側（一方は図示せず）には、人手によって上下方にスライド自在なように凹状の取手３４を備えている。
【００３８】
上げ下げ扉２７の左右端部は、図５（ａ）、図６に示すように、対向する二つの短柱４間の各側面、及び案内柱３７の両側面に形成された二つの凹状の溝３８に係合し、上下に摺動可能となっている。また、摺動させた上げ下げ扉２７が移動した位置で保持できるように、上げ下げ扉２７の左右端面には、金属製の板ばね２８を配設している。また、板ばね２８は、後述する金属製の摺動板３２と共に、上げ下げ扉２７の左右端面に凹状に形成された第一収容凹部３５に、後述する板ばね２８の湾曲部２９が上げ下げ扉２７の左右端面よりも突出するように配設している。
【００３９】
板ばね２８は、図５（ｃ）に示すように、帯状の一方の端部側から全長の略３／４が外側に略半円弧状に湾曲した湾曲部２９を形成すると共に、他方の端部側に上げ下げ扉２７と、ネジ３３によって固定するためのネジ孔（図示せず）を形成した固定部３０を備えている。すなわち、板ばね２８は、固定部３０で固定され、湾曲部２９を形成する端部３１側が解放された状態となっており、湾曲部２９に外側から負荷が加わることで解放された端部３１が外側に移動できる構造となっている。
【００４０】
また、板ばね２８の後側には、帯状の摺動板３２を配設している。摺動板３２は、板ばね２８と略同幅で、一方の端部側に、板ばね２８と共に上げ下げ扉２７と、ネジ３３によって固定するためのネジ孔（図示せず）を形成し、全長を、板ばね２８の解放された端部３１側の移動範囲がカバーできる長さとしている。すなわち、板ばね２８の解放された端部３１が摺動板３２に対して接触しながら移動できる構造となっている。
【００４１】
以上のように構成することで、板ばね２８の湾曲部２９が、短柱４、及び案内柱３７の溝３８の底面３９を押し付ける付勢力によって、上げ下げ扉２７を上下に摺動させても当該位置で保持されるようになる。また、摺動板３２を備えることで、板ばね２８の解放された端部３１が、摺動のための不要な抵抗を受けることなく移動できることになるため、上げ下げ扉２７の上下方の移動操作をスムーズに行うことができる。なお、一枚の上げ下げ扉２７に配設される板ばね２８の数は、本実施形態においては、左右端面の上側近傍と下側近傍の合計四箇所（右側及び下側は図示せず）としている。
【００４２】
また、図５（ｂ）に示すように、上述と同様の板ばね２８と摺動板３２を、上げ下げ扉２７の表面の左右端縁部に配設してもよい。この場合、板ばね２８と摺動板３２は、上げ下げ扉２７の表面の端縁部に凹状に形成された第二収容凹部３６に、板ばね２８の湾曲部２９が上げ下げ扉２７の表面よりも突出するように配設される。
【００４３】
以上のように構成することで、板ばね２８の湾曲部２９が、短柱４、及び案内柱３７の溝３８の側面４０を押し付ける付勢力によって、上げ下げ扉２７を上下方に摺動させても当該位置で保持されるようになる。また、摺動板３２を備えることで、板ばね２８の解放された端部３１が、摺動のための不要な抵抗を受けることなく移動できることになるため、上げ下げ扉２７の上下方の移動操作をスムーズに行うことができる。なお、本実施形態においては、一枚の上げ下げ扉２７に配設される板ばね２８の数は、左右端縁部の上側近傍と下側近傍の合計四箇所（右側及び下側は図示せず）としている。
【００４４】
なお、上述したような上げ下げ扉２７の位置を保持する方法や構造等は、本実施形態に限定されるものではなく、例えば、上げ下げ扉２７の下端面に支持棒（図示せず）を配設して上げ下げ扉２７の下側から支持し、上げ下げ扉２７が支持棒の長さ分だけ上方に位置することで開閉自在にしたり、上げ下げ扉２７の左右端面側と摺接する各柱４，３７に形成した凹状の溝３８の底面３９に、上げ下げ扉２７の下端面を当接載置可能な、水平方向に進退自在の凸部材（図示せず）の突出機構（図示せず）を形成して開閉自在としてもよく、本考案の要旨の範囲内において、種々の変形、変更が可能である。
【００４５】
上段ベッド部１０は、寝床の底部となる上段ベッド１１と間仕切壁の役割を果たす上段側壁１２と、手摺部１４とで構成している。上段ベッド１１は、長柱３の全長に対して略中央となる位置において、四本の柱３，３，４，４を四隅とするように略同一水平面上に配設される。なお、上段ベッド１１は、下段ベッド２１と同一の構造であり、同一の部材を用いているため説明を省略する。
【００４６】
上段側壁１２は、下段側壁２６と同一の構造を採用しており、上げ下げ扉２７と案内柱３７は同一の部材を使用している。その他の部分は、以下に説明するように他の部材に置き換えて同一の構造としている。
【００４７】
上段側壁１２は、図１、図６に示すように、側面視略長方形状の長手方向を水平方向とする四枚の上げ下げ扉２７と案内柱３７と止め板１３とで構成している。具体的に説明すると、上げ下げ扉２７は、長柱３間の略中央で上段ベッド１１の長枠材２２と、長柱３の上端部間に架設した止め板１３に対して垂直に連結された案内柱３７の左右において各二枚をずらして配設されている。また、上げ下げ扉２７の上側縁近傍の略中央の表裏両面側（一方は図示せず）には、人手によって上下方にスライド自在なように凹状の取手３４を備えている。
【００４８】
上げ下げ扉２７の左右端部は、図５（ａ）、図６に示すように、対向する二つの長柱３間の各側面、及び案内柱３７の両側面に形成された二つの凹状の溝３８に係合し、上下方にスライド自在となっている。なお、上げ下げ扉２７の構造は、上述した下段ベッド部２０の下段側壁２６と同様であるため、説明を省略する。
【００４９】
手摺部１４は、寝起きの際に身体を支えるために把持する手摺としての機能と、上段ベッド１１からの落下防止のためのものである。手摺部１４は、上手摺１５と下手摺１６と五本の縦杆１７とで構成され、短柱４間に渡り側面視略梯子状に配設している。
【００５０】
具体的には、同じ長さの上手摺１５と下手摺１６とを長手方向を水平方向として上下対向となるように配設すると共に、上手摺１５と下手摺１６に対して、端部を含めて五本の縦杆１７を略等間隔に垂設することで梯子状としている。更に、短柱４の全長に対して上側の略１／３の範囲において、梯子状の長手方向の両端部を、対向する短柱４間に連結して手摺部１４を構成している。
【００５１】
以上のように、第一の実施形態に係る間仕切型二段ベッド１は構成されており、図６に示すように、上下段側壁１２，２６を構成する各上げ下げ扉２７を上下方にスライド自在とすることができる。
【００５２】
[第二の実施形態]
次に、図７を用いて、上下段側壁１２ａ，２６ａの構造に関する第二の実施形態について説明するが、上述した第一の実施形態と共通する部分については、同一の符号を付して適宜説明を省略すると共に、異なる部分についてのみ説明する。
【００５３】
なお、第二の実施形態に係る間仕切型二段ベッド１ａと第一の実施形態に係る間仕切型二段ベッド１の用途は同一である。
【００５４】
本実施形態においては、上下段側壁１２ａ，２６ａを構成する引戸５０が、襖で用いられる鴨居と敷居の構造によって横側方にスライド自在となっている。
【００５５】
下段側壁２６ａは、二枚の引戸５０で構成している。具体的に説明すると、下段ベッド２１の短柱４側の長枠材２２ａの上面に、敷居としての役割を果たす凹状の平行な二つの溝５１を形成すると共に、上段ベッド１１の短柱４側の長枠材２２ｂの下面に、鴨居としての役割を果たす凹状の平行な二つの溝（図示せず）を形成している。これらの溝５１，（図示しない溝）に各引戸５０を係合させることで引戸５０を横側方に摺動させることが可能となる。また、引戸５０には、片側の横側縁近傍の略中央において表裏両面側（一方は図示せず）に、人手によって横側方にスライド自在なように凹状の取手３４を備えている。
【００５６】
なお、下段ベッド２１の長枠材２２ａの上面には引戸５０と係合する溝５１が形成されていることから、第一の実施形態で説明した床板２５を用いると、床板２５と引戸５０とが干渉してしまうため、当該部分を切欠いて略長方形状とした床板５２を用いている。
【００５７】
上段側壁１２ａは、下段側壁２６ａと同一の構造を採用しており、引戸５０は同一のものを使用している。その他の部分は、以下に説明するように他の部材に置き換えて同一の構造としている。
【００５８】
上段側壁１２ａは、二枚の引戸５０と止め板１３ａで構成している。具体的に説明すると、上段ベッド１１の長柱３側の長枠材２２ａの上面に、敷居としての役割を果たす凹状の平行な二つの溝５１を形成すると共に、両長柱３の上端部間に架設した止め板１３ａの下面に、鴨居としての役割を果たす凹状の平行な二つの溝（図示せず）を形成している。これらの溝５１，（図示しない溝）に各引戸５０を係合させることで引戸５０を横側方に摺動させることが可能となる。また、引戸５０には、片側の横側縁近傍の略中央において表裏両面側（一方は図示せず）に、人手によって横側方にスライド自在なように凹状の取手３４を備えている。
【００５９】
なお、上段ベッド１１の長枠材２２ａの上面には引戸５０と係合する溝５１が形成されていることから、第一の実施形態で説明した床板２５を用いると、床板２５と引戸５０とが干渉してしまうため、当該部分を切欠いて略長方形状とした床板５２を用いている。
【００６０】
以上のように、第二の実施形態に係る間仕切型二段ベッド１ａは構成されており、図７に示すように、上下段側壁１２ａ，２６ａを構成する各引戸５０を横側方にスライド自在とすることができる。
【００６１】
[第三の実施形態]
次に、図８を用いて、上下段側壁１２ｂ，２６ｂの構造に関する第三の実施形態について説明するが、上述した第一の実施形態と共通する部分については、同一の符号を付して適宜説明を省略すると共に、異なる部分についてのみ説明する。
【００６２】
なお、第三の実施形態に係る間仕切型二段ベッド１ｂと第一の実施形態に係る間仕切型二段ベッド１の用途は同一である。
【００６３】
本実施形態においては、上下段側壁１２ｂ，２６ｂを構成する上扉６３と下扉６０が、共にヒンジ６２を介して対向方向に開閉自在となっている。
【００６４】
下段側壁２６ｂは、二枚の下扉６０で構成されている。具体的に説明すると、下扉６０は、下段ベッド２１と上段ベッド１１との間において、対向する二つの短柱４間の上側近傍と下側近傍の各側面に、ヒンジ６２を介して枢着している。また、下扉６０には、左右側中央の表裏両面側に、対向方向に開閉自在なように外側に突出した把持部６１を備えている。
【００６５】
なお、下扉６０の閉蓋時の固定方法については、例えば、短柱４間に連結した対向する上下の長枠材２２の両側面に、下扉６０の内側面と当接する部分（図示せず）を設け、当接する互いの面に磁石や凹凸による係合部（図示せず）を形成する等できる。
【００６６】
上段側壁１２ｂは、二枚の上扉６３と、その下側に位置する落下防止固定側壁６４とで構成している。具体的に説明すると、落下防止固定側壁６４は、側面視略長方形の板状の部材で、長手方向を水平方向として、上段ベッド１１よりも上側に位置する長柱３の下から略１／３の範囲において、対向する二つの長柱３間の各側面に対して両端部を連結して上段側壁１２ｂの下側を構成している。
【００６７】
また、上段側壁１２ｂの上側を構成する上扉６３は、落下防止固定側壁６４の上端縁と止め板１３の下面との間において、対向する二つの長柱３間の上側近傍と下側近傍の各側面に、ヒンジ６２を介して枢着している。また、上扉６３には、左右側中央の表裏両面側に、対向方向に開閉自在なように外側に突出した把持部６１を備えている。
【００６８】
なお、上扉６３の閉蓋時の固定方法については、例えば、止め板１３の下面に、上扉６３の内側面と当接する部分（図示せず）を設け、当該部分と当接する互いの面、及び上扉６３の内側面が落下防止固定側壁６４の外側面と当接する互いの面とに、磁石や凹凸による係合部（図示せず）を形成する等できる。
【００６９】
以上のように、第三の実施形態に係る間仕切型二段ベッド１ｂは構成されており、図８に示すように、上下段側壁１２ｂ，２６ｂ構成する上下扉６０，６３を対向方向にスライド自在とすることができる。
【００７０】
以上、説明したように第一〜三の実施形態に係る間仕切型二段ベッド１，１ａ，１ｂは、各上げ下げ扉２７等の上下段側壁１２，１２ａ，１２ｂ，２６，２６ａ，２６ｂを上下等させて開蓋すれば、第一の部屋１０２と第二の部屋１０３の換気を容易に行うことができる。従って、部屋１００に配設された窓の位置やドアの位置を気にすることなく、間仕切型二段ベッド１，１ａ，１ｂを設置することが可能となる。
【００７１】
また、上下段側壁１２，１２ａ，１２ｂ，２６，２６ａ，２６ｂを閉蓋すれば、可及的速やかに間仕切壁を形成することができるので、一つの部屋１００を第一の部屋１０２と第二の部屋１０３とに容易に略分割することができる。
【００７２】
また、上下段側壁１２，１２ａ，１２ｂ，２６，２６ａ，２６ｂを開蓋したままにしておけば、兄弟等と充分なコミュニケーションを図ったり、一緒に遊んだりすることを望む幼少期の頃から、間仕切型二段ベッド１，１ａ，１ｂを使用することができると共に、子供がある程度成長した場合には、上下段側壁１２，１２ａ，１２ｂ，２６，２６ａ，２６ｂを閉蓋しておくことで部屋１００を略分割できる。従って、子供の成長に合わせて別途のベッドを購入することなく長期に渡り使用することができるため、経済的に有利となる。
【００７３】
また、上下段側壁１２，１２ａ，１２ｂ，２６，２６ａ，２６ｂを開蓋しても問題がない状況においては、開蓋することで隣接する部屋１０２，１０３が一つに繋がり、視覚的に開放感を得ることができる。
【００７４】
なお、第一〜三の実施形態で説明したように、本技術に係る間仕切型二段ベッド１，１ａ，１ｂは構成されているが、例えば、第一の実施形態に係る下段側壁２６と第三の実施形態に係る上段側壁１２ｂとを組み合わせる等、各側壁構造の組合せ方は任意であり、本考案の要旨の範囲内である。
【００７５】
以上、本考案の好ましい実施形態について説明したが、本考案は係る特定の実施形態に限定されるものではなく、実用新案登録請求の範囲に記載された本考案の要旨の範囲内において、種々の変形・変更が可能である。
【符号の説明】
【００７６】
１    間仕切型二段ベッド（第一の実施形態
１ａ    間仕切型二段ベッド（第二の実施形態）
１ｂ    間仕切型二段ベッド（第三の実施形態）
１０    上段ベッド部
１２    上段側壁
２０    下段ベッド部
２６    下段側壁
【図１】
0003183519.tif 000003
【図２】
0003183519.tif 000004
【図３】
0003183519.tif 000005
【図４】
0003183519.tif 000006
【図５】
0003183519.tif 000007
【図６】
0003183519.tif 000008
【図７】
0003183519.tif 000009
【図８】
0003183519.tif 000010